【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
少なくとも表面に配線が形成され且つ少なくとも上記表面に開口を備えた基板と、
複数の電子部品が上記基板に支持され、且つ上記配線により互いに電気的に接続されることで構成されて所定の電圧を生成する電源回路と、
を有する電源モジュールであって、
上記複数の電子部品の少なくともいずれか１つである特定電子部品は、上記開口内に配置され、且つ上記基板の上記配線と電気的に接続されていることを特徴とする電源モジュール。
【請求項２】
上記特定電子部品は、その側壁の少なくとも一方側に、上記基板の上記表面と平行な方向に突出する導電性端子を備えており、
上記基板の上記表面と平行であり且つ上記基板の上記表面と対向する上記導電性端子の表面と上記配線とによって、上記特定電子部品と上記配線とが接続されている、請求項１に記載の電源モジュール。
【請求項３】
上記導電性端子と上記基板の上記表面に形成された上記配線とは、導電性材料を介して接続されている、請求項２に記載の電源モジュール。
【請求項４】
上記特定電子部品は、上記開口の内壁と対向する第１の部分と、上記開口内から突出した第２の部分とを備えている、請求項１ないし３のいずれかに記載の電源モジュール。
【請求項５】
上記複数の電子部品のうち、上記基板の上記表面が向く方向に最も突出するものが、上記特定電子部品である、請求項１ないし４のいずれかに記載の電源モジュール。
【請求項６】
上記開口は、上記基板を貫通する、請求項１ないし５のいずれかに記載の電源モジュール。
【請求項７】
上記特定電子部品は、表面が上記開口から突出し、且つ裏面が上記開口の内側に位置している、請求項１ないし６のいずれかに記載の電源モジュール。
【請求項８】
上記複数の電子部品は、少なくとも、ダイオードと、コンデンサと、トランスと、を含んでいる、請求項１ないし５のいずれか１項に記載の電源モジュール。
【請求項９】
上記特定電子部品は、トランスである、請求項６に記載の電源モジュール。
【請求項１０】
上記基板は、細長状である、請求項１ないし９のいずれかに記載の電源モジュール。
【請求項１１】
上記基板は、幅方向において上記開口を挟む一対の側枠部を有している、請求項１０に記載の電源モジュール。
【請求項１２】
各側枠部の上記表面には、上記配線の一部が形成されている、請求項１１に記載の電源モジュール。
【請求項１３】
上記各側枠部の上記表面と反対側の面には、上記配線の一部が形成されている、請求項１２に記載の電源モジュール。
【請求項１４】
上記各側枠部に形成された上記配線の一部は、グランド配線である、請求項１２または１３に記載の電源モジュール。
【請求項１５】
上記特定電子部品は、上記基板の長手方向両側に突出する複数の上記導電性端子を有している、請求項２または３に記載の電源モジュール。
【請求項１６】
複数のＬＥＤチップを有するＬＥＤ発光部と、
上記ＬＥＤ発光部に電力を供給する電源部と、
上記ＬＥＤ発光部および上記電源部を支持する支持部材と、
上記ＬＥＤ発光部、上記電源部および上記支持部材を収容し、かつ上記ＬＥＤ発光部からの光を透過する、軸方向を有する筒状の透光カバーと、を備えるＬＥＤ照明灯であって、
上記電源部は、複数の電子部品と、これらの電子部品が搭載された搭載面および少なくともこの搭載面に形成された配線パターンを有する電源基板とを具備しており、
上記電源基板は、厚さ方向に貫通し、かつ上記複数の電子部品のいずれかである特定電子部品の少なくとも一部を収容する空隙部を有することを特徴とする、ＬＥＤ照明灯。
【請求項１７】
上記空隙部は、上記電源基板を貫通する貫通孔である、請求項１６に記載のＬＥＤ照明灯。
【請求項１８】
上記電源基板は、細長状である、請求項１７に記載のＬＥＤ照明灯。
【請求項１９】
上記電源基板は、幅方向において上記空隙部を挟む一対の側枠部を有している、請求項１８に記載のＬＥＤ照明灯。
【請求項２０】
上記各側枠部の上記搭載面には、上記配線パターンの一部が形成されている、請求項１９に記載のＬＥＤ照明灯。
【請求項２１】
上記各側枠部の上記搭載面と反対側の面には、上記配線パターンの一部が形成されている、請求項２０に記載のＬＥＤ照明灯。
【請求項２２】
上記各側枠部に形成された上記配線パターンの一部は、グランド配線である、請求項２０または２１に記載のＬＥＤ照明灯。
【請求項２３】
上記複数の電子部品は、上記一対の側枠部を避けた位置に搭載されている、請求項１９ないし２２のいずれかに記載のＬＥＤ照明灯。
【請求項２４】
上記特定電子部品は、上記電源基板の長手方向両側に突出する複数の実装端子を有している、請求項１６ないし２３のいずれかに記載のＬＥＤ照明灯。
【請求項２５】
上記特定電子部品の上記複数の実装端子は、上記配線パターンのうち上記搭載面に形成された部分に接合されている、請求項２４に記載のＬＥＤ照明灯。
【請求項２６】
上記特定電子部品は、トランスである、請求項２４または２５に記載のＬＥＤ照明灯。
【請求項２７】
上記複数の電子部品のうち、上記電源基板の上記搭載面が向く方向に最も突出するものは、上記特定電子部品である、請求項１６ないし２６のいずれかに記載のＬＥＤ照明灯。
【請求項２８】
上記電源部は、定電流制御を行う定電流制御回路を有しており、
上記定電流制御回路は、１つのみのコンバータを有している、請求項１６ないし２７のいずれかに記載のＬＥＤ照明灯。
【請求項２９】
上記コンバータは、ＭＯＳＦＥＴである、請求項２８に記載のＬＥＤ照明灯。
【請求項３０】
上記ＬＥＤ発光部と上記電源部とは、上記軸方向と直角である方向において、上記支持部材を挟んで互いに反対側に位置している、請求項１６ないし２９のいずれかに記載のＬＥＤ照明灯。
【請求項３１】
上記電源部は、上記電源基板の上記搭載面が上記支持部材に正対する姿勢とされている、請求項３０に記載のＬＥＤ照明灯。
【請求項３２】
上記電源基板の上記搭載面と反対側の面には、白色のレジスト層が設けられている、請求項３１に記載のＬＥＤ照明灯。
【請求項３３】
上記支持部材は、支持面および裏面を有する底板部と、この底板部の両端に繋がり、かつ上記裏面が向く方向に起立した一対の側板部とを有している、請求項３０ないし３２のいずれかに記載のＬＥＤ照明灯。
【請求項３４】
上記ＬＥＤ発光部は、上記支持部材の上記底板部の上記支持面に支持されており、
上記電源部は、上記支持部材の上記底板部と上記一対の側板部とに囲まれた空間に配置されている、請求項３３に記載のＬＥＤ照明灯。
【請求項３５】
上記支持部材の上記底板部の上記裏面と上記電源部との間には、絶縁シートが介在している、請求項３４に記載のＬＥＤ照明灯。
【請求項３６】
上記絶縁シートは、上記底板部の上記裏面に接合されている、請求項３５に記載のＬＥＤ照明灯。
【請求項３７】
上記透光カバーは、上記ＬＥＤ発光部からの光を拡散させつつ透過させる、請求項１６ないし３６のいずれかに記載のＬＥＤ照明灯。
【請求項３８】
上記ＬＥＤ発光部は、上記複数のＬＥＤチップを支持する細長状のＬＥＤ基板を備えており、
上記複数のＬＥＤチップは、上記ＬＥＤ基板の長手方向に沿って配列されている、請求項１６ないし３７のいずれかに記載のＬＥＤ照明灯。
【手続補正２】
【補正対象書類名】明細書
【補正対象項目名】発明の名称
【補正方法】変更
【補正の内容】
【発明の名称】電源モジュールおよびＬＥＤ照明灯
【手続補正３】
【補正対象書類名】明細書
【補正対象項目名】０００１
【補正方法】変更
【補正の内容】
【０００１】
本発明は、電源モジュールおよびＬＥＤ照明灯に関する。